(57)【要約】【課題】蛍光表示管の静電対策を施しつつ、静電防止シートをなくして作業工程やコストを削減した蛍光表示管取り付け構造を提供することである。【解決手段】蛍光表示管１０をホルダ１１を介してプリント配線基板３０に取り付ける蛍光表示管取り付け構造において、ホルダ１１は、背面部１０ｂに当接する本体板部１１ａと、側面部１０ｃ、１０ｄに当接する一対の側板部１１ｂ、１１ｃと、下面部１０ｅに当接する支持部１１ｄ、１１ｅと、引き出し電極１０ｈへの静電気の放電を遮る引き出し電極カバー１１ｊと、電極製造用ピン１０ｉへの静電気の放電を遮る電極製造用ピンカバー１１ｈ、１１ｉとを有する構成とする。【選択図】図１
2007322808.tif 000002
【特許請求の範囲】
【請求項１】
筐体の開口部に臨む表示部が位置する正面部と該正面部に対向する背面部と互いに対向する一対の側面部と互いに対向する上面部及び下面部とを有する矩形板状の本体と、前記上面部から突出する複数の電極製造用ピンと、前記下面部から突出する複数の引き出し電極とを備えた蛍光表示管を、ホルダを介してプリント配線基板に取り付ける蛍光表示管取り付け構造を有した記録再生装置において、
前記ホルダは、前記背面部に当接する本体板部と、前記側面部に当接する一対の側板部と、前記下面部に当接する支持部と、前記引き出し電極への静電気の放電を遮る引き出し電極カバーと、前記電極製造用ピンへの静電気の放電を遮る電極製造用ピンカバーとを有し、
前記電極製造用ピンカバーは、前記電極製造用ピンの先端を覆うように前記本体板部から延出した第１の電極製造用ピンカバーと、前記電極製造用ピンの正面を覆うように前記第１の電極製造用ピンカバーから延出した第２の電極製造用ピンカバーとからなり、
前記電極製造用ピンカバーは前記ホルダに一体成型され、前記本体板部と前記第１の電極製造用ピンカバーとの接続部と、前記第１の電極製造用ピンカバーと前記第２の電極製造用ピンカバーとの接続部とが、それぞれ折り曲げ可能に薄肉形成され、
前記第２の電極製造用ピンカバーが前記正面部に当接し、
前記引き出し電極カバーは、前記引き出し電極の正面を覆うように前記支持部から延出し、
前記引き出し電極カバーは前記ホルダに一体成型されていることを特徴とする記録再生装置。
【請求項２】
筐体の開口部に臨む表示部が位置する正面部と該正面部に対向する背面部と互いに対向する一対の側面部と互いに対向する上面部及び下面部とを有する矩形板状の本体と、前記上面部又は下面部からそれぞれ突出する複数の引き出し電極及び電極製造用ピンとを備えた蛍光表示管を、ホルダを介してプリント配線基板に取り付ける蛍光表示管取り付け構造において、
前記ホルダは、前記背面部に当接する本体板部と、前記側面部に当接する一対の側板部と、前記下面部に当接する支持部と、前記引き出し電極への静電気の放電を遮る引き出し電極カバーと、前記電極製造用ピンへの静電気の放電を遮る電極製造用ピンカバーとを有することを特徴とする蛍光表示管取り付け構造。
【請求項３】
前記電極製造用ピンカバーは、前記電極製造用ピンの先端を覆うように前記本体板部から延出した第１の電極製造用ピンカバーと、前記電極製造用ピンの正面を覆うように前記第１の電極製造用ピンカバーから延出した第２の電極製造用ピンカバーとからなることを特徴とする請求項２記載の蛍光表示管取り付け構造。
【請求項４】
前記電極製造用ピンカバーは前記ホルダに一体成型され、前記本体板部と前記第１の電極製造用ピンカバーとの接続部と、前記第１の電極製造用ピンカバーと前記第２の電極製造用ピンカバーとの接続部とが、それぞれ折り曲げ可能に薄肉形成されていることを特徴とする請求項３記載の蛍光表示管取り付け構造。
【請求項５】
前記第２の電極製造用ピンカバーが前記正面部に当接することを特徴とする請求項３又は４記載の蛍光表示管取り付け構造。
【請求項６】
前記引き出し電極カバーは、前記引き出し電極の正面を覆うように前記支持部から延出していることを特徴とする請求項２〜５の何れかに記載の蛍光表示管取り付け構造。
【請求項７】
前記引き出し電極カバーは前記ホルダに一体成型されていることを特徴とする請求項６記載の蛍光表示管取り付け構造。
【発明の詳細な説明】
【技術分野】
【０００１】
本発明は、表示部として蛍光表示管を採用した記録再生装置の蛍光表示管取り付け構造に関する。
【背景技術】
【０００２】
一般的に、ビデオテープ、ＤＶＤ等の光ディスク、ハードディスクなどの記録媒体に記録したりそれを再生したりする記録再生装置では、表示部として蛍光表示管が採用されている。この蛍光表示管は筐体内のプリント配線基板に実装される。
【０００３】
図３に、従来のビデオ装置の要部の側断面図を、図４に、蛍光表示管周辺の正面図を示す。ビデオ装置の正面側に配設された蛍光表示管１０は、所定の画像を表示するための表示部１０ｇを有する正面部１０ａと、背面部１０ｂと、右側面部１０ｃと、左側面部１０ｄと、下面部１０ｅと、上面部１０ｆとから構成される矩形板状の本体を有している。また蛍光表示管１０は、下面部１０ｅから引き出された複数の引き出し電極１０ｈと、上面部１０ｆから引き出された複数の電極製造用ピン１０ｉとを有している。
【０００４】
蛍光表示管１０は、ホルダ２０によって支持されている。ホルダ２０は、ポリスチレンやＡＢＳ等の合成樹脂を一体成型して形成され、本体板部２０ａと、右側板部２０ｂと、左側板部２０ｃと、右支持部２０ｄと、左支持部２０ｅと、右脚部２０ｆと、左脚部２０ｇとから構成される。そして本体板部２０ａが蛍光表示管１０の背面部を、右側板部２０ｂが蛍光表示管１０の右側面部１０ｃを、左側板部２０ｃが蛍光表示管１０の右側面部１０ｄを、右支持部２０ｄ及び左支持部２０ｅが蛍光表示管１０の下面部１０ｅを、それぞれ支持する。また、右脚部２０ｆ及び左脚部２０ｇがプリント配線基板３０に固定される。
【０００５】
プリント配線基板３０はビデオ装置の底部に配設される。プリント配線基板３０には各種電子部品を実装するためのプリント配線（不図示）が形成されており、引き出し電極１０ｈを挿入するための複数の孔３０ａも形成されている。そして引き出し電極１０ｈが孔３０ａを貫通して下面から突出した状態で下面側から半田付けされる。
【０００６】
また、蛍光表示管１０の前方には、ポリカーボネート等からなる静電防止シート４０が配設されている。静電防止シート４０はフロントパネル５０の開口部５０ａの背面側を覆うようにフロントパネル５０に溶着されている。また開口部５０ａの正面側は透明な樹脂等からなるディスプレイウインドウ６０で覆われている。ディスプレイウインドウ６０はその背面側の四隅に突起６０ａを有し、突起６０ａがフロントパネル５０に溶着される。
【０００７】
このようなビデオ装置において、正面側に設けられた操作部（不図示）などにユーザが触れることにより、フロントパネル５０やディスプレイウインドウ６０に静電気が帯電する。そして例えばフロントパネル５０とディスプレイウインドウ６０との隙間を通じて静電気がビデオ装置内部へ回り込み、ディスプレイウインドウ６０の内側端部から放電する。この放電は引き出し電極１０ｈや電極製造用ピン１０ｉへ向けて起こるが、静電防止シート４０により遮蔽される。従って、静電防止シート４０は、引き出し電極１０ｈや電極製造用ピン１０ｉとフロントパネル５０の正面とを遮るのに十分な大きさを必要とする。
【０００８】
上記のようなビデオ装置の他にも蛍光表示管の取り付け構造については、特許文献１〜５などに開示されている。
【特許文献１】特開２００６−２３６２８号公報
【特許文献２】特開２００５−３４５７６３号公報
【特許文献３】特開２００２−９１３３４号公報
【特許文献４】実開平２−１３２８０号公報
【特許文献５】実開昭５８−３１５７８号公報
【発明の開示】
【発明が解決しようとする課題】
【０００９】
しかしながら、上記のようなビデオ装置においては、静電防止シート４０をフロントパネル５０に溶着させなければならないため、静電防止シート４０の取り付け作業に手間が掛かる。更に、静電防止シート４０自体にも製造コストが掛かる。
【００１０】
しかし、静電防止シート４０をなくして引き出し電極１０ｈや電極製造用ピン１０ｉをフロントパネル５０から遮るものがなくなると、放電によって蛍光表示管１０が故障してしまうので静電対策は不可欠である。
【００１１】
そこで本発明は、蛍光表示管の静電対策を施しつつ、静電防止シートをなくして作業工程やコストを削減した蛍光表示管取り付け構造を提供することを目的とする。また、その蛍光表示管取り付け構造を備えた記録再生装置を提供することも目的とする。
【課題を解決するための手段】
【００１２】
上記目的を達成するために本発明は、筐体の開口部に臨む表示部が位置する正面部と該正面部に対向する背面部と互いに対向する一対の側面部と互いに対向する上面部及び下面部とを有する矩形板状の本体と、前記上面部又は下面部からそれぞれ突出する複数の引き出し電極及び電極製造用ピンとを備えた蛍光表示管を、ホルダを介してプリント配線基板に取り付ける蛍光表示管取り付け構造において、
前記ホルダは、前記背面部に当接する本体板部と、前記側面部に当接する一対の側板部と、前記下面部に当接する支持部と、前記引き出し電極への静電気の放電を遮る引き出し電極カバーと、前記電極製造用ピンへの静電気の放電を遮る電極製造用ピンカバーとを有することを特徴とする。
【００１３】
この構成によると、筐体の開口部近辺から引き出し電極や電極製造用ピンへ向けて起こる静電気の放電が、引き出し電極カバーや電極製造用ピンカバーにより遮蔽される。
【００１４】
上記の蛍光表示管取り付け構造において、前記電極製造用ピンカバーは、前記電極製造用ピンの先端を覆うように前記本体板部から延出した第１の電極製造用ピンカバーと、前記電極製造用ピンの正面を覆うように前記第１の電極製造用ピンカバーから延出した第２の電極製造用ピンカバーとからなる構成とすることができる。
【００１５】
また上記の蛍光表示管取り付け構造において、前記電極製造用ピンカバーは前記ホルダに一体成型され、前記本体板部と前記第１の電極製造用ピンカバーとの接続部と、前記第１の電極製造用ピンカバーと前記第２の電極製造用ピンカバーとの接続部とが、それぞれ折り曲げ可能に薄肉形成されている構成とすることができる。
【００１６】
この構成によると、電極製造用ピンカバーがホルダに一体成型されるので部品点数を削減できコストダウンを図れる。
【００１７】
また上記の蛍光表示管取り付け構造において、前記第２の電極製造用ピンカバーが前記正面部に当接することが望ましい。
【００１８】
この構成によると、蛍光表示管がホルダから正面側へ外れることを防止できる。
【００１９】
また上記の蛍光表示管取り付け構造において、前記引き出し電極カバーは、前記引き出し電極の正面を覆うように前記支持部から延出している構成とすることができる。
【００２０】
また上記の蛍光表示管取り付け構造において、前記引き出し電極カバーは前記ホルダに一体成型されている構成とすることができる。
【００２１】
この構成によると、引き出し電極カバーがホルダに一体成型されるので部品点数を削減できコストダウンを図れる。
【００２２】
本発明を具体化すると、筐体の開口部に臨む表示部が位置する正面部と該正面部に対向する背面部と互いに対向する一対の側面部と互いに対向する上面部及び下面部とを有する矩形板状の本体と、前記上面部から突出する複数の電極製造用ピンと、前記下面部から突出する複数の引き出し電極とを備えた蛍光表示管を、ホルダを介してプリント配線基板に取り付ける蛍光表示管取り付け構造を有した記録再生装置において、
前記ホルダは、前記背面部に当接する本体板部と、前記側面部に当接する一対の側板部と、前記下面部に当接する支持部と、前記引き出し電極への静電気の放電を遮る引き出し電極カバーと、前記電極製造用ピンへの静電気の放電を遮る電極製造用ピンカバーとを有し、
前記電極製造用ピンカバーは、前記電極製造用ピンの先端を覆うように前記本体板部から延出した第１の電極製造用ピンカバーと、前記電極製造用ピンの正面を覆うように前記第１の電極製造用ピンカバーから延出した第２の電極製造用ピンカバーとからなり、
前記電極製造用ピンカバーは前記ホルダに一体成型され、前記本体板部と前記第１の電極製造用ピンカバーとの接続部と、前記第１の電極製造用ピンカバーと前記第２の電極製造用ピンカバーとの接続部とが、それぞれ折り曲げ可能に薄肉形成され、
前記第２の電極製造用ピンカバーが前記正面部に当接し、
前記引き出し電極カバーは、前記引き出し電極の正面を覆うように前記支持部から延出し、
前記引き出し電極カバーは前記ホルダに一体成型されている構成となる。
【発明の効果】
【００２３】
本発明によれば、筐体の開口部近辺から引き出し電極や電極製造用ピンへ向けて起こる静電気の放電が、引き出し電極カバーや電極製造用ピンカバーにより遮蔽されるので、静電対策のために従来のように静電防止シートを別に設ける必要がなく、作業工程やコストを削減することができる。
【発明を実施するための最良の形態】
【００２４】
以下の実施形態では記録再生装置としてビデオ装置を例に説明する。図１に、本発明のビデオ装置の要部の側断面図を、図２に、蛍光表示管周辺の正面図を示す。ビデオ装置の構成で従来例と同じ部材には従来例と同じ符号を付してその詳細な説明を省略する。
【００２５】
蛍光表示管１０は、ホルダ１１によって支持されている。ホルダ１１は、ポリスチレンやＡＢＳ等の合成樹脂を一体成型して形成され、本体板部１１ａと、右側板部１１ｂと、左側板部１１ｃと、右支持部１１ｄと、左支持部１１ｅと、右脚部１１ｆと、左脚部１１ｇと、第１の電極製造用ピンカバー１１ｈと、第２の電極製造用ピンカバー１１ｉと、引き出し電極カバー１１ｊとから構成される。
【００２６】
そして本体板部１１ａが蛍光表示管１０の背面部１０ｂを、右側板部１１ｂが蛍光表示管１０の右側面部１０ｃを、左側板部１１ｃが蛍光表示管１０の右側面部１０ｄを、右支持部１１ｄ及び左支持部１１ｅが蛍光表示管１０の下面部１０ｅを、それぞれ支持する。また、右脚部１１ｆ及び左脚部１１ｇがプリント配線基板３０に固定される。
【００２７】
更に、第１の電極製造用ピンカバー１１ｈは、電極製造用ピン１０ｉの先端全てを覆うように本体板部１１ａから延出し、第２の電極製造用ピンカバー１１ｉは、電極製造用ピン１０ｉの正面全体を覆うように第１の電極製造用ピンカバー１１ｈから延出している。
【００２８】
第１及び第２の電極製造用ピンカバー１１ｈ、１１ｉはホルダ１１に一体成型され、本体板部１１ａと第１の電極製造用ピンカバー１１ｈとの接続部１１ｋと、第１の電極製造用ピンカバー１１ｈと第２の電極製造用ピンカバー１１ｉとの接続部１１ｍとが、それぞれ折り曲げ可能に薄肉形成（例えば断面Ｖ字型の溝）されている。
【００２９】
このような第１及び第２の電極製造用ピンカバー１１ｈ、１１ｉを接続部１１ｋ、１１ｍでそれぞれ内側に折り曲げると、第２の電極製造用ピンカバー１１ｉの内面が蛍光表示管１０の正面部１０ａに当接する。その結果、蛍光表示管１０がホルダ１１から正面側へ外れることを防止できる。また第１及び第２の電極製造用ピンカバー１１ｈ、１１ｉによって電極製造用ピン１０ｉとフロントパネル５０（筐体を構成する部材の一つ）との間が遮られる。
【００３０】
引き出し電極カバー１１ｊは、引き出し電極１０ｈの正面全体を覆うように支持部（右支持部１１ｄ及び左支持部１１ｅ）から下方へ延出している。なお、引き出し電極カバー１１ｊはホルダ１１に一体成型されている。
【００３１】
このような引き出し電極カバー１１ｊによって引き出し電極１０ｈとフロントパネル５０との間が遮られる。
【００３２】
また、プリント配線基板３０はビデオ装置の底部に配設される。プリント配線基板３０には各種電子部品を実装するためのプリント配線（不図示）が形成されており、引き出し電極１０ｈを挿入するための複数の孔３０ａも形成されている。そして引き出し電極１０ｈが孔３０ａを貫通して下面から突出した状態で下面側から半田付けされる。
【００３３】
また、蛍光表示管１０の前方には、フロントパネル５０の開口部５０ａが位置している。この開口部５０ａの正面側は透明な樹脂等からなるディスプレイウインドウ６０で覆われている。ディスプレイウインドウ６０はその背面側の四隅に突起６０ａを有し、突起６０ａがフロントパネル５０に溶着される。
【００３４】
このようなビデオ装置において、正面側に設けられた操作部（不図示）などにユーザが触れることにより、フロントパネル５０やディスプレイウインドウ６０に静電気が帯電する。そして例えばフロントパネル５０とディスプレイウインドウ６０との隙間を通じて静電気がビデオ装置内部へ回り込み、ディスプレイウインドウ６０の内側端部から放電する。この放電は引き出し電極１０ｈや電極製造用ピン１０ｉへ向けて起こるが、引き出し電極カバー１１ｊや第１及び第２の電極製造用ピンカバー１１ｈ、１１ｉにより遮蔽される。従って、静電対策のために従来のように静電防止シートを別に設ける必要がなく、作業工程やコストを削減することができる。
【００３５】
なお、上記の実施形態において、接続部１１ｋ、１１ｍは第１又は第２の電極製造用ピンカバー１１ｈ、１１ｉの肉厚と同じように形成してもよい。この場合は第１及び第２の電極製造用ピンカバー１１ｈ、１１ｉは予め折り曲げられた形状で成型し、第２の電極製造用ピンカバー１１ｉの先端が蛍光表示管１０の正面部１０ａの上端に位置するように設計すればよい。そうすれば蛍光表示管１０をホルダ１１にスムーズに装着することができる。
【００３６】
また本発明は、プリント配線基板３０が蛍光表示管１０の背面側に平行に配設される構成にも適用することができる。その場合、引き出し電極がＬ字型になるので、引き出し電極カバーもＬ字型に設計すればよい。
【産業上の利用可能性】
【００３７】
本発明の蛍光表示管取り付け構造は、ビデオテープ、ＤＶＤ等の光ディスク、ハードディスクなどの記録媒体に記録したりそれを再生したりする記録再生装置をはじめとする電気機器において、表示部に蛍光表示管を採用したものに利用することができる。
【図面の簡単な説明】
【００３８】
【図１】本発明のビデオ装置の要部の側断面図である。
【図２】本発明の蛍光表示管周辺の正面図である。
【図３】従来のビデオ装置の要部の側断面図である。
【図４】従来の蛍光表示管周辺の正面図である。
【符号の説明】
【００３９】
１０    蛍光表示管
１０ａ    正面部
１０ｂ    背面部
１０ｃ、１０ｄ    側面部
１０ｅ    下面部
１０ｆ    上面部
１０ｇ    表示部
１０ｈ    引き出し電極
１０ｉ    電極製造用ピン
１１    ホルダ
１１ａ    本体板部
１１ｂ、１１ｃ    側板部
１１ｄ、１１ｅ    支持部
１１ｈ    第１の電極製造用ピンカバー
１１ｉ    第２の電極製造用ピンカバー
１１ｊ    引き出し電極カバー
１１ｋ、１１ｍ    接続部
３０    プリント配線基板
５０ａ    開口部
【図１】
2007322808.tif 000003
【図２】
2007322808.tif 000004
【図３】
2007322808.tif 000005
【図４】
2007322808.tif 000006